(57)【要約】【課題】  本発明は、外部装置によって表示される映像データを記録装置によって記録する場合、外部装置に対応する色空間の設定に関わらず、記録装置によって適正な映像データが記録されるようにすることを目的とする。【解決手段】  外部装置から取得した前記外部装置の表示能力に関する情報に応じて、前記外部装置に送信する映像データの色の階調に関するレンジを設定する設定手段と、前記外部装置に送信するための映像データを生成するために、前記設定手段によって設定された色の階調に関するレンジに応じて、画像処理を行う画像処理手段と、前記画像処理手段によって画像処理が行われた映像データを外部装置に送信するための制御を行う制御手段とを有する。【選択図】  図１
2013198095.tif 000002
【特許請求の範囲】
【請求項１】
外部装置から取得した前記外部装置の表示能力に関する情報に応じて、前記外部装置に送信する映像データの色の階調に関するレンジを設定する設定手段と、
前記外部装置に送信するための映像データを生成するために、前記設定手段によって設定された色の階調に関するレンジに応じて、画像処理を行う画像処理手段と、
前記画像処理手段によって画像処理が行われた映像データを外部装置に送信するための制御を行う制御手段とを有することを特徴とする電子機器。
【請求項２】
前記設定手段は、前記外部装置に送信する映像データの色の階調に関するレンジを、第１のレンジ及び前記第１のレンジのいずれか一つに設定することを特徴とする請求項１に記載の電子機器。
【請求項３】
色の階調に関するレンジを拡張するように設定されているか否かを判定する判定手段をさらに有し、
色の階調に関するレンジを拡張するように設定されていると判定された場合、設定手段は、前記外部装置に送信する映像データの色の階調に関するレンジを前記第２のレンジに設定し、
色の階調に関するレンジを拡張するように設定されていると判定された場合、設定手段は、前記外部装置に送信する映像データの色の階調に関するレンジを前記第１のレンジに設定することを特徴とする請求項２に記載の電子機器。
【請求項４】
前記電子機器によって動画データが記録される場合に、色の階調に関するレンジを拡張するように設定されている場合、前記制御手段は、色の階調に関するレンジの拡張に関する設定を解除することを特徴とする請求項３に記載の電子機器。
【請求項５】
前記外部装置に対応する色空間がＲＧＢである場合、前記外部装置に送信する映像データの色の階調に関するレンジは、前記第１のレンジ及び前記第２のレンジのいずれか一つであることを特徴とする請求項２から４のいずれか１項に記載の電子機器。
【請求項６】
前記第１のレンジは、白と黒の間が１６から２３５によって表され、
前記第２のレンジは、白と黒の間が０から２５５によって表されることを特徴とする請求項２から５のいずれか１項に記載の電子機器。
【請求項７】
前記電子機器は、前記電子機器によって前記外部装置に送信される映像データを記録する記録装置と接続されることを特徴とする請求項１から６のいずれか１項に記載の電子機器。
【請求項８】
前記電子機器は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）、ＤｉｉＶａ（Ｄｉｇｉｔａｌ  Ｉｎｔｅｒｆａｃｅ  ｆｏｒ  Ｖｉｄｅｏ  ａｎｄ  Ａｕｄｉｏ）、Ｄｉｓｐｌａｙ  Ｐｏｒｔ及びＤＶＩ（Ｄｉｇｉｔａｌ  Ｖｉｓｕａｌ  Ｉｎｔｅｒｆａｃｅ）のいずれか一つを用いて、映像データを前記外部装置に送信することを特徴とする請求項１から７のいずれか１項に記載の電子機器。
【請求項９】
外部装置から取得した前記外部装置の表示能力に関する情報に応じて、前記外部装置に送信する映像データの色の階調に関するレンジを設定するステップと、
前記外部装置に送信するための映像データを生成するために、設定された色の階調に関するレンジに応じて、画像処理を行うステップと、
画像処理が行われた映像データを外部装置に送信するための制御を行うステップとを有する方法。
【請求項１０】
コンピュータを請求項１から７のいずれか１項に記載の電子機器として機能させるためのプログラム。
【発明の詳細な説明】
【技術分野】
【０００１】
本発明は、外部に映像データを送信する電子機器に関する。
【背景技術】
【０００２】
現在、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）と呼ばれる通信インターフェースが提案されている。ＨＤＭＩ規格に準拠した通信システムは、ソース（Ｓｏｕｒｃｅ）装置とシンク（Ｓｉｎｋ）装置とを有する。ソース装置は、映像データをＨＤＭＩインターフェースを介して外部に送信することができる。シンク装置は、ソース装置からの映像データをＨＤＭＩインターフェースを介して受信し、受信した映像データを表示器に表示することができる。
【０００３】
従来、シンク装置の解像度の情報を含むＥＤＩＤ（Ｅｘｔｅｎｄｅｄ  Ｄｉｓｐｌａｙ  Ｉｄｅｎｔｉｆｉｃａｔｉｏｎ  Ｄａｔａ）をシンク装置から取得するソース装置が知られている（特許文献１）。このソース装置は、シンク装置から取得したＥＤＩＤを用いてシンク装置に表示させるためのデータを生成する。
【先行技術文献】
【特許文献】
【０００４】
【特許文献１】特開２００９−７７３４７号公報
【発明の概要】
【発明が解決しようとする課題】
【０００５】
このような通信システムにおいて、ソース装置からシンク装置に送信される映像データを記録する記録装置が存在する。この場合、記録装置は、シンク装置から取得したＥＤＩＤを用いてソース装置で生成された映像データを記録する。
【０００６】
しかし、ソース装置によってシンク装置に送信される映像データは、シンク装置の表示設定に対応するため、記録装置が記録することができる映像データは、シンク装置の表示設定に限定されてしまう場合があった。例えば、シンク装置において、特定の方式の色空間で表示を行うように設定されている場合、記録装置に記録される映像データの色空間もシンク装置で設定されている色空間の方式に限定されてしまう。このため、記録装置において、適切な映像データを記録することができなかった。
【０００７】
そこで、本発明は、外部装置によって表示される映像データを記録装置によって記録する場合、外部装置に対応する色空間の設定に関わらず、記録装置によって適正な映像データが記録されるようにすることを目的とする。
【課題を解決するための手段】
【０００８】
本発明に係る電子機器は、外部装置から取得した前記外部装置の表示能力に関する情報に応じて、前記外部装置に送信する映像データの色の階調に関するレンジを設定する設定手段と、前記外部装置に送信するための映像データを生成するために、前記設定手段によって設定された色の階調に関するレンジに応じて、画像処理を行う画像処理手段と、前記画像処理手段によって画像処理が行われた映像データを前記外部装置に送信するための制御を行う制御手段とを有することを特徴とする。
【０００９】
また、本発明に係る方法は、外部装置から取得した前記外部装置の表示能力に関する情報に応じて、前記外部装置に送信する映像データの色の階調に関するレンジを設定するステップと、前記外部装置に送信するための映像データを生成するために、設定された色の階調に関するレンジに応じて、画像処理を行うステップと、画像処理が行われた映像データを前記外部装置に送信するための制御を行うステップとを有することを特徴とする。
【発明の効果】
【００１０】
本発明によれば、外部装置によって表示される映像データを記録装置によって記録する場合、外部装置に対応する色空間の設定に関わらず、記録装置によって適正な映像データが記録されるようにすることができる。
【図面の簡単な説明】
【００１１】
【図１】実施例１及び２に係る通信システムの一例を示すブロック図である。
【図２】実施例１及び２に係る電子機器によって行われるデータ送信処理の一例を示すフローチャートである。
【図３】実施例１及び２に係る電子機器によって行われる設定処理の一例を示すフローチャートである。
【図４】実施例２に係る電子機器によって行われる切換処理の一例を示すフローチャートである。
【発明を実施するための形態】
【００１２】
以下、本発明の実施例の説明は図面を参照しながら行う。ただし、以下の実施例はあくまでも一例であって、本発明は以下の実施例に限定されるものではない。
【００１３】
［実施例１］
実施例１に係る通信システムは、図１に示すように、電子機器１００と外部装置２００とが、接続ケーブル５００、分配器４００及び接続ケーブル６００を介して通信可能に接続されている。また、電子機器１００と記録装置３００とが、接続ケーブル５００、分配器４００及び接続ケーブル７００を介して通信可能に接続されている。電子機器１００、外部装置２００、記録装置３００及び分配器４００は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）規格に対応する通信を行うことができるデバイスである。
【００１４】
なお、実施例１において、接続ケーブル５００、接続ケーブル６００及び接続ケーブル７００は、ＨＤＭＩ規格に対応する通信インターフェースである。
【００１５】
接続ケーブル５００には、ＤＤＣ（Ｄｉｓｐｌａｙ  Ｄａｔａ  Ｃｈａｎｎｅｌ）ライン５０１及びＴＭＤＳ（Ｔｒａｎｓｉｔｉｏｎ−Ｍｉｎｉｍｉｚｅｄ  Ｄｉｆｆｅｒｅｎｔｉａｌ  Ｓｉｇｎａｌｉｎｇ）ライン５０２が含まれている。さらに、接続ケーブル５００には、ＣＥＣ（Ｃｏｎｓｕｍｅｒ  Ｅｌｅｃｔｒｏｎｉｃｓ  Ｃｏｎｔｒｏｌ）ライン５０３が含まれている。同様に、接続ケーブル６００には、ＤＤＣライン６０１、ＴＭＤＳライン６０２及びＣＥＣライン６０３が含まれている。同様に、接続ケーブル７００には、ＤＤＣライン７０１、ＴＭＤＳライン７０２及びＣＥＣライン７０３が含まれている。
【００１６】
なお、電子機器１００は、デジタル一眼レフカメラ、デジタルスチルカメラやデジタルビデオカメラ等の撮像デバイスであっても良く、携帯電話やスマートフォン等のデバイスであってもよい。また、外部装置２００は、テレビ、パーソナルコンピュータやプロジェクタ等のデバイスであってもよく、表示デバイスであっても良い。また、記録装置３００は、レコーダやハードディスクドライブ等のデバイスであってもよい。
【００１７】
次に、電子機器１００について説明する。電子機器１００は、ＣＰＵ（Ｃｅｎｔｒａｌ  Ｐｒｏｃｅｓｓｉｎｇ  Ｕｎｉｔ）１０１、メモリ１０２、通信部１０３、撮像部１０４、画像処理部１０５、記録部１０６、表示部１０７及び操作部１０８を有する。
【００１８】
ＣＰＵ１０１は、メモリ１０２に格納されているコンピュータプログラムに従って、電子機器１００の動作を制御する。ＣＰＵ１０１は、外部装置２００から取得した外部装置２００のデバイス情報を解析することにより、外部装置の２００の画像表示能力及び音声処理能力を知ることができる。外部装置２００のデバイス情報とは、外部装置２００に記録されているＥＤＩＤ（Ｅｘｔｅｎｄｅｄ  ｄｉｓｐｌａｙ  ｉｄｅｎｔｉｆｉｃａｔｉｏｎ  ｄａｔａ）またはＥ−ＥＤＩＤ（Ｅｎｈａｎｃｅｄ  ＥＤＩＤ）である。ＥＤＩＤ及びＥ−ＥＤＩＤはいずれも、外部装置２００の識別情報、外部装置２００がサポートしている解像度、走査周波数、アスペクト比、色空間などに関する情報等が含まれている。Ｅ−ＥＤＩＤは、ＥＤＩＤを拡張したものであり、ＥＤＩＤよりも多くの能力情報を含む。例えば、Ｅ−ＥＤＩＤには、外部装置２００がサポートしている映像データ及び音声データのフォーマットなどに関する情報が含まれている。以下、ＥＤＩＤ及びＥ−ＥＤＩＤをいずれも「ＥＤＩＤ」と呼ぶ。
【００１９】
外部装置２００から接続ケーブル５００、分配器４００及び接続ケーブル６００を介して、ＥＤＩＤを取得した電子機器１００は、ＤＤＣライン５０１を介して取得したＥＤＩＤを解析する。電子機器１００は、ＥＤＩＤの解析結果から外部装置２００の画像表示能力、音声処理能力などを知ることができる。さらに、電子機器１００は、外部装置２００の画像表示能力及び音声処理能力に適した映像データ及び音声データを生成することができる。
【００２０】
メモリ１０２は、ＣＰＵ１０１のワークエリアとして機能する。メモリ１０２には、外部装置２００から取得したＥＤＩＤ、電子機器１００に関する情報及びＣＰＵ１０１による解析の結果等も格納される。なお、ＣＰＵ１０１のワークエリアは、メモリ１０２に限られるものではなく、ハードディスクドライブ等の外部メモリ等であってもよい。
【００２１】
通信部１０３は、接続ケーブル５００を接続するための接続端子（コネクタ）を有する。通信部１０３は、ＤＤＣライン５０１、分配器４００及びＤＤＣライン６０１を介して外部装置２００からＥＤＩＤを取得する。外部装置２００から取得されたＥＤＩＤは、ＣＰＵ１０１に供給される。
【００２２】
さらに、通信部１０３は、データ送信部１０３ａ及びコマンド処理部１０３ｂを有する。
【００２３】
データ送信部１０３ａは、外部装置２００の画像表示能力に適した映像データ、外部装置２００の音声処理能力に適した音声データ及び補助データを、ＴＭＤＳライン５０２、分配器４００及びＴＭＤＳライン６０２を介して外部装置２００に送信する。データ送信部１０３ａによって外部装置２００に送信される映像データ及び音声データは、外部装置２００から取得されるＥＤＩＤに応じて生成される。
【００２４】
電子機器１００が撮影モードである場合、撮像部１０４により生成され、かつ、画像処理部１０５により画像処理が行われた映像データがデータ送信部１０３ａによって外部装置２００に送信される。この場合、不図示のマイクロフォンによって生成された音声データも映像データとともにデータ送信部１０３ａによって外部装置２００に送信される。
【００２５】
電子機器１００が再生モードである場合、記録部１０６により記録媒体１０６ａから読み出され、かつ、画像処理部１０５により画像処理が行われた映像データがデータ送信部１０３ａによって外部装置２００に送信される。この場合、記録部１０６により記録媒体１０６ａから読み出された音声データも映像データとともにデータ送信部１０３ａによって外部装置２００に送信される。
【００２６】
電子機器１００が撮影モードであり、かつ、所定の通信モードである場合、撮像部１０４によるライブビュー撮影によって生成され、かつ、画像処理部１０５による画像処理が行われた映像データがデータ送信部１０３ａによって、外部装置２００に送信される。この場合、データ送信部１０３ａによって映像データとともに音声データが外部装置２００に送信されてもよい。なお、電子機器１００が撮影モードであり、かつ、所定の通信モードである場合、データ送信部１０３ａによって送信される映像データには、撮影に関する情報等の補助データが重畳されないようにする。なお、撮影に関する情報には、撮影日時を示す情報、撮影地点を示す情報、オートフォーカスに関する情報、自動露出に関する情報、シャッタースピードに関する情報等が含まれる。
【００２７】
電子機器１００は、撮影モードであり、かつ、所定の通信モードである場合、スルー映像を外部に送信する。なお、スルー映像とは、撮像部１０４によるライブビュー撮影によって生成され、かつ、画像処理部１０５による画像処理が行われた映像データを含む。また、スルー映像は、レリーズの指示が電子機器１００に行われる前に、撮像部１０４及び画像処理部１０５によって生成される映像データを含む。また、スルー映像は、撮像部１０４及び画像処理部１０５によって生成される映像データを記録媒体１０６ａに記録させるための指示が電子機器１００に行われる前に、撮像部１０４及び画像処理部１０５によって生成される映像データを含む。
【００２８】
コマンド処理部１０３ｂは、ＣＥＣライン５０３、分配器４００及びＣＥＣライン６０３を介して接続される外部装置２００に、ＣＥＣプロトコルに対応するコマンドを送信することができる。さらに、コマンド処理部１０３ｂは、ＣＥＣライン５０３、分配器４００及びＣＥＣライン６０３を介して接続される外部装置２００からＣＥＣプロトコルに対応するコマンドを受信することができる。
【００２９】
また、コマンド処理部１０３ｂは、ＣＥＣライン５０３、分配器４００及びＣＥＣライン７０３を介して接続される記録装置３００に、ＣＥＣプロトコルに対応するコマンドを送信することができる。さらに、コマンド処理部１０３ｂは、ＣＥＣライン５０３、分配器４００及びＣＥＣライン７０３を介して接続される記録装置３００からＣＥＣプロトコルに対応するコマンドを受信することができる。
【００３０】
なお、コマンド処理部１０３ｂは、外部装置２００及び記録装置３００のいずれか一つから受信したコマンドをＣＰＵ１０１に供給することができる。ＣＰＵ１０１は、コマンド処理部１０３ｂから供給されるコマンドを解析し、その解析結果に応じて、電子機器１００を制御する。
【００３１】
なお、外部装置２００及び記録装置３００のいずれか一つに送信するコマンドは、ＣＰＵ１０１によって生成される。ＣＰＵ１０１は、コマンド処理部１０３ｂから供給されるコマンドを解析し、その解析結果に応じて、電子機器１００を制御する。
【００３２】
撮像部１０４は、不図示のレンズユニットを介して入射した被写体の光学像から静止画データや動画データ等の映像データを生成する。撮像部１０４によって生成された映像データは、画像処理部１０５に供給される。
【００３３】
画像処理部１０５は、撮像部１０４、メモリ１０２及び記録部１０６のいずれか一つから供給される映像データに画素補間処理や色変換処理等の画像処理を行う。さらに、画像処理部１０５は、適応離散コサイン変換（ＡＤＣＴ）等により映像データを圧縮し、圧縮された映像データを伸長する圧縮伸長手段を有する。なお、映像データを圧縮する方式として、ＪＰＥＧ方式、ＭＰＥＧ方式、ＲＡＷ方式等が挙げられる。撮像部１０４、メモリ１０２及び記録部１０６のいずれか一つから供給される映像データは、圧縮伸長手段によって、圧縮処理または伸長処理が行われ、記録部１０６及び通信部１０３のいずれか一つに出力される。
【００３４】
また、画像処理部１０５は、外部装置２００から取得したＥＤＩＤに基づいて、撮像部１０４、メモリ１０２及び記録部１０６のいずれか一つから供給された映像データから外部装置２００の画像表示能力に適した映像データを生成する。この場合、画像処理部１０５は、ＥＤＩＤに基づいて生成した映像データを通信部１０３及び記録部１０６の少なくとも一つに供給する。
【００３５】
記録部１０６は、撮像部１０４によって生成され、画像処理部１０５によって画像処理が行われた映像データを記録媒体１０６ａに記録する。さらに、記録部１０６は、不図示のマイクロフォン部によって生成された音声データを記録媒体１０６ａに記録する。また、記録部１０６は、記録媒体１０６ａに記録されている映像データ及び音声データの少なくとも一つを記録媒体１０６ａから読み出す。記録部１０６によって記録媒体１０６ａから読み出された映像データは画像処理部１０５に供給される。
【００３６】
記録媒体１０６ａは、電子機器１００に内蔵されているメモリあってもよく、電子機器１００に着脱可能な外部メモリであってもよい。また、記録媒体１０６ａは、メモリカードであってもよく、ハードディスクドライブであってもよい。
【００３７】
表示部１０７は、液晶ディスプレイなどの表示器により構成される。表示部１０７は、電子機器１００が撮影モードである場合、撮像部１０４によって生成された映像データを表示する。また、電子機器１００が再生モードである場合、表示部１０７は、記録媒体１０６ａから読み出された映像データを表示する。
【００３８】
操作部１０８は、電子機器１００を操作するためのユーザインターフェースを提供する。操作部１０８は、電子機器１００を操作するための電源ボタン、モード変更ボタン、シャッターボタン、十字ボタン、メニューボタン等を有し、各ボタンはスイッチ、タッチパネル等により構成される。ＣＰＵ１０１は、操作部１０８を介して入力されたユーザの指示に従って電子機器１００を制御することができる。ユーザによって操作部１０８のボタンが操作された場合、操作部１０８から各ボタンに応じた操作信号がＣＰＵ１０１に入力される。ＣＰＵ１０１は、操作部１０８から入力された操作信号を解析し、解析結果に応じて操作信号に対応した処理を判定する。ＣＰＵ１０１は、操作部１０８から入力された操作信号に対応した処理を実行するように電子機器１００を制御する。
【００３９】
ユーザは、操作部１０８を用いて、電子機器１００を撮影モード及び再生モードのいずれか一つに設定することができる。なお、電子機器１００が撮影モードである場合、ユーザは、操作部１０８を用いて、電子機器１００を所定の通信モードに設定するか否かを選択することができる。
【００４０】
分配器４００は、電子機器１００から外部装置２００に送信される映像データ、音声データ及び補助データをＴＭＤＳライン５０２を介して受信し、受信したデータを外部装置２００及び記録装置３００に供給する。
【００４１】
電子機器１００によって送信された映像データは、ＴＭＤＳライン５０２、分配器４００及びＴＭＤＳライン６０２を介して外部装置２００に供給される。さらに、電子機器１００によって送信された映像データは、ＴＭＤＳライン５０２、分配器４００及びＴＭＤＳライン７０２を介して記録装置３００に供給される。なお、電子機器１００によって送信された音声データ及び補助データも、電子機器１００によって送信された映像データと同様である。
【００４２】
次に、外部装置２００について説明する。外部装置２００は、電子機器１００から受信した映像データを不図示のディスプレイに表示し、電子機器１００から受信した音声データを不図示のスピーカから出力する。外部装置２００は、ＥＤＩＤを記録する。さらに、外部装置２００は、外部装置２００の表示設定が変更された場合、変更された後の表示設定に応じて、ＥＤＩＤに含まれる情報を書き換える。
【００４３】
次に、記録装置３００について説明する。記録装置３００は、ＣＰＵ３０１、画像処理部３０２、通信部３０３、記録部３０４、操作部３０５及びメモリ３０６を有する。
【００４４】
ＣＰＵ３０１は、メモリ３０６に記録されているコンピュータプログラムに従って記録装置３００の動作を制御する。
【００４５】
画像処理部３０２は、通信部３０３から供給される映像データに対してさまざまな画像処理を行う。画像処理部３０２によって画像処理が行われた映像データは、記録部３０４に供給される。
【００４６】
通信部３０３は、接続ケーブル７００を接続するための接続端子を有する。
【００４７】
通信部３０３は、電子機器１００から送信された映像データ、音声データ及び補助データをＴＭＤＳライン７０２を介して受信する。通信部３０３によって電子機器１００から受信した映像データは、画像処理部３０２に供給される。通信部３０３によって電子機器１００から受信した音声データは、特定の処理が行われてから記録部３０４に供給される。通信部３０３によって電子機器１００から受信した補助データは、ＣＰＵ３０１に供給される。
【００４８】
記録部３０４は、画像処理部３０２で画像処理が行われた映像データを記録媒体３０４ａに記録する。また、記録部３０４は、通信部３０３から供給された音声データを記録媒体３０４ａに記録する。記録媒体３０４ａは、記録装置３００に内蔵されているメモリであってもよく、記録装置３００に取り外し可能な外部のメモリであってもよい。
【００４９】
操作部３０５は、記録装置３００を操作するためのユーザインターフェースを提供する。
【００５０】
なお、実施例１において、電子機器１００から外部装置２００に送信される映像データ、音声データ及び補助データと同一のデータが記録装置３００にも電子機器１００から分配器４００を介して送信されるものとする。
【００５１】
なお、分配器４００は、外部装置２００及び記録装置３００に外部接続されるものであってもよい。また、外部装置２００は、分配器４００及び記録装置３００を含むものであってもよい。また、外部装置２００は、分配器４００を含み、記録装置３００と外部接続されるものであってもよい。なお、分配器４００は、電子機器１００から出力される映像データ、音声データ及び補助データの少なくとも一つを外部装置２００及び記録装置３００に供給するものであれば良いものとする。
【００５２】
次に、図２を参照して、実施例１に係る電子機器１００で行われるデータ送信処理について説明する。なお、データ送信処理は、電子機器１００の動作モードが撮影モードであり、かつ、所定の通信モードである場合に実行される。実施例１では、ＣＰＵ１０１が、メモリ１０２に格納されているコンピュータプログラムに従ってデータ送信処理を制御する場合を説明する。
【００５３】
Ｓ２０１において、ＣＰＵ１０１は、電子機器１００が撮影モードであり、かつ、所定の通信モードであるか否かを判定する。ＣＰＵ１０１によって、電子機器１００が撮影モードであり、かつ、所定の通信モードであると判定された場合（Ｓ２０１でＹｅｓ）、本フローチャートは、Ｓ２０１からＳ２０２に進む。ＣＰＵ１０１によって、電子機器１００が撮影モードでないと判定された場合（Ｓ２０１でＮｏ）、本フローチャートは、Ｓ２０１に戻る。ＣＰＵ１０１によって、電子機器１００が所定の通信モードでないと判定された場合（Ｓ２０１でＮｏ）、本フローチャートは、Ｓ２０１に戻る。
【００５４】
Ｓ２０２において、ＣＰＵ１０１は、後述の設定処理を行う。設定処理が行われた場合、本フローチャートは、Ｓ２０３に進む。ＣＰＵ１０１によって設定処理が行われた場合、データ送信部１０３ａが外部に送信する映像データの色の階調が設定される。
【００５５】
Ｓ２０３において、ＣＰＵ１０１は、ライブビュー撮影を開始するための処理を行う。この場合、被写体光が撮像部１０４に含まれる不図示の撮像素子に導かれ、撮像素子によって撮像データが生成される。撮像素子によって生成された撮像データは、撮像部１０４に含まれるＡ／Ｄコンバータによってデジタルデータに変換され、画像処理部１０５に供給される。画像処理部１０５に供給されたデジタルデータは、画像処理部１０５によって画素補間処理や色変換処理が行なわれる。このとき、画像処理部１０５によってデジタルデータに対して行われる色変換処理は、Ｓ２０２の設定処理により設定された色の階調のレンジに基づいて行われる。画像処理部１０５によって画素補間処理や色変換処理が行われたデジタルデータは、映像データとしてメモリ１０２に格納される。この場合、本フローチャートは、Ｓ２０３からＳ２０４に進む。なお、Ｓ２０３において、撮像部１０４及び画像処理部１０５は、オートフォーカス処理、自動露出処理やホワイトバランス処理等を行っても良い。なお、画像処理部１０５は、デジタルデータに対して、Ｓ２０２によって設定された色の階調レンジに応じて、色変換処理を行う。また、画像処理部１０５は、デジタルデータに対して、外部装置２００から取得されたＥＤＩＤの解析結果に応じて、色変換処理以外の画像処理を行う。
【００５６】
Ｓ２０４において、ＣＰＵ１０１は、Ｓ２０３において、メモリ１０２に格納された映像データを外部装置２００に送信するようにデータ送信部１０３ａを制御する。この場合、音声データ及び補助データも、映像データとともに外部装置２００に送信されるようにしても良い。映像データの送信が開始された場合、本フローチャートは、Ｓ２０４からＳ２０５に進む。なお、Ｓ２０４において、電子機器１００から送信された映像データは、分配器４００を介して、外部装置２００及び記録装置３００に供給される。
【００５７】
Ｓ２０５において、ＣＰＵ１０１は、ライブビュー撮影の終了を指示するための操作が操作部１０８に対して行われたか否かを判定する。ＣＰＵ１０１によって、ライブビュー撮影の終了を指示するための操作が操作部１０８に対して行われたと判定された場合（Ｓ２０５でＹｅｓ）、本フローチャートは、Ｓ２０５からＳ２０６に進む。ＣＰＵ１０１によって、ライブビュー撮影の終了を指示するための操作が操作部１０８に対して行われていないと判定された場合（Ｓ２０５でＮｏ）、本フローチャートは、Ｓ２０５からＳ２０３に戻る。
【００５８】
なお、ライブビュー撮影の終了を指示するための操作が行われていない場合（Ｓ２０５でＮｏ）に、外部装置２００の色空間に関する設定や色の階調に関する設定が変更された場合、電子機器１００は、再び、外部装置２００からＥＤＩＤを取得する。その後、ＣＰＵ１０１は、Ｓ２０２の設定処理を行ってから外部装置２００に映像データを送信する処理を行う。
【００５９】
また、ライブビュー撮影の終了を指示するための操作が行われていない場合（Ｓ２０５でＮｏ）に、外部装置２００と異なる装置に映像データを送信する場合、電子機器１００は、映像データを送信する対象となる装置からＥＤＩＤを取得する。その後、ＣＰＵ１０１は、Ｓ２０２の設定処理を行ってから外部に映像データを送信する処理を行う。
【００６０】
Ｓ２０６において、ＣＰＵ１０１は、ライブビュー撮影を終了するための処理を行う。この場合、ＣＰＵ１０１は、被写体から映像データを生成する処理を停止するように撮像部１０４及び画像処理部１０５を制御する。さらにＣＰＵ１０１は、映像データの送信を停止するようにデータ送信部１０３ａを制御する。この場合、本フローチャートは、終了する。
【００６１】
なお、電子機器１００が一眼レフカメラである場合、Ｓ２０３において、ＣＰＵ１０１は、撮像部１０４に含まれる不図示のミラーをアップさせることによって、被写体からの光が撮像素子に導かれるようにする。さらに、Ｓ２０６において、ＣＰＵ１０１は、撮像部１０４に含まれる不図示のミラーをダウンさせることによって、被写体からの光が撮像素子に導かれないようにする。
【００６２】
次に、図３を参照して、実施例１に係る電子機器１００で行われる設定処理について説明する。なお、設定処理は、図２のＳ２０２において行われる処理である。実施例１では、ＣＰＵ１０１が、メモリ１０２に格納されているコンピュータプログラムに従って設定処理を制御する場合を説明する。
【００６３】
Ｓ３０１において、ＣＰＵ１０１は、外部装置２００からＥＤＩＤを取得したか否かを判定する。ＣＰＵ１０１によって、外部装置２００からＥＤＩＤが取得されたと判定された場合（Ｓ３０１でＹｅｓ）、本フローチャートは、Ｓ３０１からＳ３０２に進む。ＣＰＵ１０１によって、外部装置２００からＥＤＩＤが取得されていないと判定された場合（Ｓ３０１でＮｏ）、本フローチャートは、Ｓ３０１に戻る。外部装置２００からＥＤＩＤが取得されていない場合（Ｓ３０１でＮｏ）、ＣＰＵ１０１は、外部装置２００からＥＤＩＤを取得するための処理を行う。
【００６４】
Ｓ３０２において、ＣＰＵ１０１は、外部装置２００から取得されたＥＤＩＤを解析する。ＣＰＵ１０１によって解析されたＥＤＩＤの解析結果は、メモリ１０２に記録される。この場合、本フローチャートは、Ｓ３０２からＳ３０３に進む。
【００６５】
Ｓ３０３において、ＣＰＵ１０１は、ＥＤＩＤの解析結果に応じて、外部装置２００によって設定されている色空間がＹＣｂＣｒであるか、ＲＧＢであるかを判定する。ＣＰＵ１０１は、外部装置２００によって設定されている色空間がＲＧＢであるか否かを判定する。ＣＰＵ１０１によって、外部装置２００によって設定されている色空間がＲＧＢである場合（Ｓ３０３でＹｅｓ）、本フローチャートは、Ｓ３０３からＳ３０６に進む。ＣＰＵ１０１によって、外部装置２００によって設定されている色空間がＲＧＢでない、つまり、外部装置２００によって設定されている色空間がＹＣｂＣｒである場合（Ｓ３０３でＮｏ）、本フローチャートは、Ｓ３０３からＳ３０４に進む。
【００６６】
Ｓ３０４において、ＣＰＵ１０１は、色の階調の拡張を行うように設定されているか否かを判定する。なお、ユーザは、操作部１０８を用いて、色の階調の拡張を行うように設定することができる。ＣＰＵ１０１によって、色の階調の拡張を行うように設定されていると判定された場合（Ｓ３０４でＹｅｓ）、本フローチャートは、Ｓ３０４からＳ３０７に進む。ＣＰＵ１０１によって、色の階調の拡張を行うように設定されていないと判定された場合（Ｓ３０４でＮｏ）、本フローチャートは、Ｓ３０４からＳ３０５に進む。
【００６７】
Ｓ３０５において、ＣＰＵ１０１は、データ送信部１０３ａによって外部に送信される映像データに対応する色の階調が第１のレンジになるように設定する。
【００６８】
第１のレンジとは、白と黒の間を１６〜２３５によって表すことである。ＣＰＵ１０１によって色の階調が第１のレンジに設定された場合、本フローチャートは終了し、図２のデータ送信処理のＳ２０３に進む。この場合、データ送信部１０３ａによって外部に送信される映像データは、第１のレンジに基づいて色変換処理等の画像処理が行われたデータとなる。
【００６９】
Ｓ３０６において、ＣＰＵ１０１は、データ送信部１０３ａによって外部に送信される映像データに対応する色の階調にフルレンジが選択されているか否かを判定する。ＣＰＵ１０１によって、データ送信部１０３ａによって外部に送信される映像データに対応する色の階調にフルレンジが選択されていると判定された場合（Ｓ３０６でＹｅｓ）、本フローチャートは、Ｓ３０６からＳ３０７に進む。ＣＰＵ１０１によって、データ送信部１０３ａによって外部に送信される映像データに対応する色の階調にフルレンジが選択されていないと判定された場合（Ｓ３０６でＮｏ）、本フローチャートは、Ｓ３０６からＳ３０４に進む。
【００７０】
Ｓ３０７において、ＣＰＵ１０１は、データ送信部１０３ａによって外部に送信される映像データに対応する色の階調が第２のレンジになるように設定する。
【００７１】
第２のレンジとは、白と黒の間を０〜２５５によって表すことである。ＣＰＵ１０１によって色の階調が第２のレンジに設定された場合、本フローチャートは終了し、図２のデータ送信処理のＳ２０３に進む。この場合、データ送信部１０３ａによって外部に送信される映像データは、第２のレンジに基づいて色変換処理等の画像処理が行われたデータとなる。なお、ＣＰＵ１０１は、外部装置２００によって設定されている色空間がＲＧＢである場合（Ｓ３０３でＹｅｓ）、データ送信部１０３ａによって外部に送信される映像データに対応する色の階調は、第１のレンジでも第２のレンジでも良いものとする。
【００７２】
実施例１に係る電子機器１００は、外部装置２００に対応する色空間に応じて適正な色の階調のレンジを選択し、選択された色の階調のレンジに応じて生成された映像データが外部装置２００及び記録装置３００に供給されるようにした。このため、記録装置３００は、外部装置２００によって設定されている色空間に制約を受けずに、電子機器１００によって生成された映像データを高品質で記録することができる。さらに、電子機器１００は、記録装置３００に適正な映像データを記録させるようにするとともに、外部装置２００に適正な映像データが表示されるようにすることができる。
【００７３】
したがって、電子機器１００は、外部装置２００による色空間の設定に関わらず、記録装置３００に適正な映像データを記録させるようにすることができる。
【００７４】
なお、図２のデータ送信処理及び図３の設定処理は、記録装置３００が電子機器１００から受信した映像データの記録を行うことが検出されてから行われるようにしてもよい。また、図２のデータ送信処理及び図３の設定処理は、記録装置３００が電子機器１００から受信した映像データの記録を行う手段を有するか否かに応じて、ＣＰＵ１０１によって行われるように制御してもよい。
【００７５】
［実施例２］
実施例２において、実施例１と共通する部分については、その説明を省略し、実施例１と異なる部分について説明する。
【００７６】
次に、実施例２において、電子機器１００によって行われる切換処理について、図４のフローチャートを用いて説明する。実施例２では、ＣＰＵ１０１が、メモリ１０２に格納されているコンピュータプログラムに従って切換処理を制御する場合を説明する。なお、図４の切換処理は、図２のデータ送信処理において、データ送信部１０３ａによって映像データが外部に送信されている間に行われても良いものとする。
【００７７】
Ｓ４０１において、電子機器１００が記録モードであるか否かを判定する。
【００７８】
なお、記録モードは、撮像部１０４及び画像処理部１０５によって生成される動画データを記録媒体１０６ａに記録するモードである。なお、外部装置２００に電子機器１００から映像データが送信される場合、電子機器１００が記録モードである場合、電子機器１００は、外部装置２００に送信される映像データに対応するデータを記録媒体１０６ａに記録する。
【００７９】
ＣＰＵ１０１によって、電子機器１００が記録モードであると判定された場合（Ｓ４０１でＹｅｓ）、本フローチャートは、Ｓ４０１からＳ４０２に進む。ＣＰＵ１０１によって、電子機器１００が記録モードでないと判定された場合（Ｓ４０１でＮｏ）、本フローチャートは、Ｓ４０１からＳ４０５に進む。
【００８０】
Ｓ４０２において、色の階調の拡張を行うように設定されている場合、ＣＰＵ１０１は、色の階調の拡張に関する設定をメモリ１０２に保存した状態で、色の階調の拡張に関する設定を解除する。この場合、色の階調の拡張に関する設定を解除された場合であっても、ユーザが行った色の階調の拡張に関する設定は、メモリ１０２に格納される。この場合、本フローチャートは、Ｓ４０２からＳ４０３に進む。
【００８１】
Ｓ４０３において、ＣＰＵ１０１は、図３の設定処理を行う。図３の設定処理が行われた場合、本フローチャートは、Ｓ４０３からＳ４０４に進む。
【００８２】
Ｓ４０４において、ＣＰＵ１０１は、Ｓ４０２において解除された色の階調の拡張に関する設定を元に戻す。この場合、ＣＰＵ１０１は、Ｓ４０２においてメモリ１０２に格納された色の階調の拡張に関する設定に戻す。この場合、本フローチャートは終了する。
【００８３】
Ｓ４０５において、ＣＰＵ１０１は、図３の設定処理を行う。図３の設定処理が行われた場合、本フローチャートは終了する。
【００８４】
実施例２に係る電子機器１００は、実施例１と共通する処理や構成については、実施例１と同様の効果を有するものとする。
【００８５】
実施例２に係る電子機器１００は、電子機器１００が映像データの記録を行う場合であっても、外部装置２００に対応する色空間の映像データを外部装置２００に送信し、外部装置２００に適正な色の階調レンジに対応する映像データを表示させることができる。このため、電子機器１００によって記録されている映像データを外部装置２００によって確認することができる。なお、電子機器１００によって映像データの記録が行われる場合に、電子機器１００から受信された映像データが記録装置１００により記録されていてもよいものとする。
【００８６】
なお、Ｓ４０１において、ＣＰＵ１０１は、電子機器１００が動画データの記録待機中であるか否かを判定してもよい。この場合、ＣＰＵ１０１によって、電子機器１００が動画データの記録待機中であると判定された場合（Ｓ４０１でＹｅｓ）、本フローチャートは、Ｓ４０１からＳ４０２に進む。ＣＰＵ１０１によって、電子機器１００が動画データの記録待機中でないと判定された場合（Ｓ４０１でＮｏ）、本フローチャートは、Ｓ４０１からＳ４０６に進む。
【００８７】
実施例１及び２における第１のレンジは、１６〜２３５に限られるものではなく、第２のレンジは、０〜２５５に限られるものではない。例えば、例えば、１０ビット幅で色空間を表すシステムであれば、第１のレンジは、６４〜９４０で表され、第２のレンジは、０〜１０２３で表されるものであってもよい。
【００８８】
なお、電子機器１００、外部装置２００、記録装置３００、分配器４００、接続ケーブル５００、接続ケーブル６００及び接続ケーブル７００は、ＨＤＭＩ規格と互換性のある規格に対応するものであってもよい。
【００８９】
なお、電子機器１００、外部装置２００、記録装置３００、分配器４００、接続ケーブル５００、接続ケーブル６００及び接続ケーブル７００は、ＤＶＩ（Ｄｉｇｉｔａｌ  Ｖｉｓｕａｌ  Ｉｎｔｅｒｆａｃｅ）（登録商標）規格に対応するものであってもよい。
【００９０】
また、電電子機器１００、外部装置２００、記録装置３００、分配器４００、接続ケーブル５００、接続ケーブル６００及び接続ケーブル７００は、Ｄｉｓｐｌａｙ  Ｐｏｒｔ（登録商標）規格に対応するものであってもよい。
【００９１】
また、電子機器１００、外部装置２００、記録装置３００及び分配器４００は、ＤｉｉＶａ（Ｄｉｇｉｔａｌ  Ｉｎｔｅｒｆａｃｅ  ｆｏｒ  Ｖｉｄｅｏ  ａｎｄ  Ａｕｄｉｏ）に対応するものであってもよい。さらに、接続ケーブル５００、接続ケーブル６００及び接続ケーブル７００は、ＤｉｉＶａに対応するものであってもよい。
【００９２】
また、電子機器１００、外部装置２００、記録装置３００及び分配器４００は、ＭＨＬ（Ｍｏｂｉｌｅ  Ｈｉｇｈ−ｄｅｆｉｎｉｔｉｏｎ  Ｌｉｎｋ）（登録商標）規格に対応するものであってもよい。さらに、接続ケーブル５００、接続ケーブル６００及び接続ケーブル７００は、ＭＨＬ規格に対応するものであってもよい。
【００９３】
また、電子機器１００によって生成される映像データは、無線により外部装置２００、記録装置３００及び分配器４００の少なくとも一つに送信されるようにしてもよい。
【００９４】
［他の実施例］
本発明に係る電子機器は、実施例１及び２で説明した電子機器に限定されるものではない。本発明に係る電子機器は、例えば、複数の装置から構成されるシステムにより実現することも可能である。
【００９５】
また、実施例１及び２において説明した処理、構成、機能及びシステムは、コンピュータで実行可能なコンピュータプログラムによって実現することもできる。この場合、当該コンピュータプログラムは、コンピュータ読取可能な記録媒体から当該コンピュータによって読み出され、当該コンピュータで実行される。また、この場合、当該コンピュータ読取可能な記録媒体には、ハードディスク装置、光ディスク、ＣＤ−ＲＯＭ、ＣＤ−Ｒ、メモリカード、ＲＯＭ等を用いることができる。なお、当該コンピュータプログラムは、通信インターフェースを介して外部装置から当該コンピュータに提供され、当該コンピュータで実行されるようにしてもよい。
【符号の説明】
【００９６】
１００  電子機器
２００  外部装置
３００  記録装置
【図１】
2013198095.tif 000003
【図２】
2013198095.tif 000004
【図３】
2013198095.tif 000005
【図４】
2013198095.tif 000006